(57)【要約】【課題】容器を積み重ねた状態でも、物品の出し入れ作業や確認作業を容易に、かつ効率よく行いうるようにした折り畳み容器を提供する。【解決手段】折り畳み容器１は、上部に物品の出し入れ口７が形成された上枠８を有するとともに、周囲の側壁の１つに開口部９が形成され、残りの側壁５、６が折り畳み可能となっている箱型の外容器２と、該外容器２内に開口部９から引き出し可能に収納され、上部が開口された物品収容用の内容器３とを備えるものとする。【選択図】  図１
2020142806.tif 000002
【特許請求の範囲】
【請求項１】
上部に物品の出し入れ口が形成された上枠を有するとともに、周囲の側壁の１つに開口部が形成され、残りの側壁が折り畳み可能となっている箱型の外容器と、該外容器内に前記開口部から引き出し可能に収納され、少なくとも上部が開口された物品収容用の内容器とを備えることを特徴とする折り畳み容器。
【請求項２】
前記内容器は、折り畳まれた前記外容器内に収納可能であることを特徴とする請求項１に記載の折り畳み容器。
【請求項３】
前記内容器は、上端部に枠状フレームを有する箱型または袋型に形成され、該箱型の内容器の少なくとも周囲の側壁は内向きに変形可能な軟質材により形成されていることを特徴とする請求項１または２に記載の折り畳み容器。
【請求項４】
前記外容器の側壁は光透性とされており、前記軟質材はメッシュ材であることを特徴とする請求項３に記載の折り畳み容器。
【請求項５】
前記枠状フレームの１対の側枠は、前記外容器の上枠の対向面に形成された前記開口部方向に延びる１対のガイド部に摺動可能に嵌合され、前記内容器は前記外容器内に吊支されていることを特徴とする請求項３または４に記載の折り畳み容器。
【請求項６】
前記開口部には、カバー部材が着脱可能に取り付けられていることを特徴とする請求項１ないし５のいずれかに記載の折り畳み容器。
【請求項７】
前記外容器における前記開口部と反対側の上部と下部には、前記外容器を積み重ねた際に互いに係合し合う係合部と被係合部が設けられていることを特徴とする請求項１ないし６のいずれかに記載の折り畳み容器。
【発明の詳細な説明】
【技術分野】
【０００１】
本発明は、物品を収容して店舗等に搬送する折り畳み容器に係り、特に、容器を積み重ねた状態でも物品の出し入れができるようにした折り畳み容器に関する。
【背景技術】
【０００２】
例えば配送センターから店舗に届けられる物品は、配送センターにおいて仕分けして容器に収容した後、配送車により容器を店舗内のバックヤードまで搬送し、物品を容器から取り出して陳列棚等に陳列されることが多い。この際、物品を取り出した後の容器が嵩張ると、その保管効率や配送センターへの戻し搬送効率が低下するため、例えば特許文献１に記載されているような折り畳み容器(特許文献１では折りたたみコンテナー)が使用されることが多い。
【０００３】
特許文献１に記載されている折り畳み容器は、上方の開口部からしか物品の出し入れができないので、物品を収容した容器を積み重ねて店舗等に搬送された場合、下段の容器からの物品の取り出すには、上段に積み重ねられた個々の容器を下ろしてから物品を取り出す必要があり、多くの労力を要するとともに、作業効率が悪くなっていた。このような問題を解消しうる折り畳み容器として、例えば特許文献２に記載されているように、容器の側板の１つに開口を設けるとともに、この開口を開閉可能な蓋体により閉塞し、容器を積み重ねた状態でも、側板の開口から物品の出し入れができるようにした折り畳み容器が提案されている。
【先行技術文献】
【特許文献】
【０００４】
【特許文献１】実公昭５５−３６３５０号公報(第１図)
【特許文献２】特公平５−２５７４３号公報(第２図)
【発明の概要】
【発明が解決しようとする課題】
【０００５】
しかし、上記特許文献２に記載されている折り畳み容器においても、次のような問題がある。すなわち、側板の１つに開口を設けただけでは、開口からの容器内への物品の出し入れ作業及び収容物品の確認作業を容易に、かつ効率よく行うことができないという問題がある。特に、奥行きの長い容器に物品を収容した際、奥に収容した物品の取り出しや確認作業に手間がかかる。
【０００６】
本発明は、上記問題点に着目してなされたもので、容器を積み重ねた状態でも、物品の出し入れ作業や確認作業を容易に、かつ効率よく行いうるようにした折り畳み容器を提供することを目的としている。
【課題を解決するための手段】
【０００７】
前記課題を解決するために、本発明の折り畳み容器は、
上部に物品の出し入れ口が形成された上枠を有するとともに、周囲の側壁の１つに開口部が形成され、残りの側壁が折り畳み可能となっている箱型の外容器と、該外容器内に前記開口部から引き出し可能に収納され、少なくとも上部が開口された物品収容用の内容器とを備えることを特徴としている。
この特徴によれば、折り畳み容器を積み重ねた状態でも、外容器の側壁に形成された開口部から内容器を引き出すことができるので、内容器に収容された物品の出し入れ作業や確認作業を容易に、かつ効率よく行うことができる。
【０００８】
前記内容器は、折り畳まれた前記外容器内に収納可能であることを特徴としている。
この特徴によれば、折り畳まれた外容器に内容器を収納してそれらをセットで保管したり、セットで配送センター等に戻し搬送したりすることができるので、保管効率や輸送効率が向上する。
【０００９】
前記内容器は、上端部に枠状フレームを有する箱型または袋型に形成され、該箱型の内容器の少なくとも周囲の側壁は内向きに変形可能な軟質材により形成されていることを特徴としている。
この特徴によれば、外容器を折り畳むと同時に内容器の側壁が内向きに変形して折り畳まれるので、外容器に内容器を収納したままの状態で両容器を折り畳むことができる。従って、外容器と内容器のセット保管や戻し搬送を速やかに行うことができる。
【００１０】
前記外容器の側壁は光透性とされており、前記軟質材はメッシュ材であることを特徴としている。
この特徴によれば、内容器を引き出さなくても、それに収容した物品を側壁を通して確認することができる。
【００１１】
前記枠状フレームの１対の側枠は、前記外容器の上枠の対向面に形成された前記開口部方向に延びる１対のガイド部に摺動可能に嵌合され、前記内容器は前記外容器内に吊支されていることを特徴としている。
この特徴によれば、内容器は外容器の上枠により吊支された状態で開口部から引き出されるので、内容器の出し入れが容易であり、内容器に物品を収容した状態でもスムーズに引き出すことができる。
【００１２】
前記開口部には、カバー部材が着脱可能に取り付けられていることを特徴としている。
この特徴によれば、外容器の開口部から内容器が飛び出すのが防止されるので、内容器の脱落による収容物品の損傷を防止することができるとともに、折り畳み容器を安全に搬送することができる。また、開口部をカバー部材により体裁よく塞ぐことができる。
【００１３】
前記外容器における前記開口部と反対側の上部と下部には、前記外容器を積み重ねた際に互いに係合し合う係合部と被係合部が設けられていることを特徴としている。
この特徴によれば、折り畳み容器を積み重ね、下段の外容器の上部の係合部に上段の外容器の下部の被係合部を係合させることにより、下段側の外容器に対し上段側の外容器の後部が浮き上がるのが防止される。従って、物品を収容した内容器を大きく引き出しても、上段側の外容器が前方に転倒するおそれはなく、引き出した内容器からの物品の取出し作業を安全に効率よく行うことができる。
【図面の簡単な説明】
【００１４】
【図１】本発明の実施例１に係る折り畳み容器を内容器を取り出して示す斜視図である。
【図２】同じく、内容器の斜視図である。
【図３】同じく、内容器を折り畳んだ状態の斜視図である。
【図４】同じく、折り畳まれた外容器に折り畳んだ内容器を収納する態様を示す斜視図である。
【図５】同じく、積み重ねた折り畳み容器の後部側の側面図である。
【図６】台車に実施例１の複数の折り畳み容器を積み重ねた状態の斜視図である。
【図７】外容器の開口部にカバー部材を取り付けた変形例を示す斜視図である。
【図８】本発明の実施例２に係る折り畳み容器を内容器を取り出して示す斜視図である。
【図９】同じく、折り畳まれた外容器に内容器を収納する態様を示す斜視図である。
【図１０】本発明の実施例３に係る折り畳み容器を内容器を取り出して示す斜視図である。
【図１１】同じく、外容器に収納された内容器の吊支部の拡大縦断面図である。
【発明を実施するための形態】
【００１５】
本発明の実施形態を、実施例及び図面に基づいて以下に説明する。
【実施例１】
【００１６】
図１〜図６は、実施例１に係る折り畳み容器を示す。なお、以下においては、後述する開口部９が形成されている方向、すなわち図１の斜め左下方を折り畳み容器の前方として説明する。折り畳み容器１は、平面視ほぼ正方形をなす箱型の外容器２と、この外容器２内に収納される平面視ほぼ正方形の内容器３とからなっている。
【００１７】
外容器２は、方形の底板４と、左右の側壁５、５と、後部側壁６と、左右の側壁５、５及び後部側壁６の上端部に配置され、物品の出し入れ口７を有するほぼ方形の上枠８とを備え、全体が合成樹脂により形成されている。外容器２の前面には、周囲の側壁のうち、前部側の１つの側壁を省略して開口部９が形成されている。底板４の左右の両側面には、前後方向に延び、前端と後端が若干内向きに折曲された上方に延びる側壁支持片１０、１０が一体的に連設されている。
【００１８】
左右の側壁５、５は、上部側壁５ａと下部側壁５ｂとに２分割され、それらの対向部は、図示しないヒンジにより外向きに回動可能に連結されている。上部側壁５ａ、５ａの上端部は上枠８の前後方向を向く側枠８ａ、８ａの裏面側に、下部側壁５ｂ、５ｂの下端部は側壁支持片１０、１０の裏面側の上端部に、それぞれ図示しないヒンジにより内向きに回動可能に枢着されている。図４に示すように、上部側壁５ａと下部側壁５ｂは、後部側壁６を後述するように上向きに折り畳んだ後、外容器２の内部に向かって谷折りして折り畳めるようになっている。このようにして上部側壁５ａと下部側壁５ｂを折り畳むと、下部側壁５ｂの下面と底板４の上面との間には、前方に開口する所要大きさの空間１１が形成されるようになっている。上部側壁５ａ、５ａは、例えば透明な合成樹脂製ボードにより形成されている。
【００１９】
後部側壁６の上端部は、上枠８の左右方向に延びる後部枠８ｂの裏面側に図示しないヒンジにより回動可能に枢着されている。図４に示すように、後部側壁６を外容器２の内部に向かって上向きに回動させると水平に折り畳むことができ、後部側壁６の後に折り畳まれる上部側壁５ａの上面と重合する。なお、後部側壁６は、外方向から上向きに回動させて水平に折り畳めるようにすることも可能である。外容器２の折り畳み構造は上述した特許文献などに記載されているように公知のものであるので、その詳細な説明は省略する。
【００２０】
内容器３は、左右の側面板１２、１２、前面板１３、後面板１４及び底面板１５からなり、本実施例では外容器２の開口部９から内部に収納可能な大きさかつ上面が開口された箱形に形成されている。なお、内容器３を、外容器２の上枠８の物品の出し入れ口７からも挿入可能な大きさに形成してもよい。側面板１２、１２、前面板１３及び後面板１４は、内容器３に収容した物品を外から確認しうるように、例えば透明な合成樹脂製ボードにより形成されている。側面板１２、１２と前面板１３と後面板１４の側縁同士は、折り曲げ可能な薄肉部を介して折り畳み可能に連結されている。図２に示すように、底面板１５は容器内に上方から挿入され、前面板１３と後面板１４の下縁に設けた内向片１６に載置されるようになっている。前面板１３の前面には、凹状の指掛け部１７が形成され、外容器２内に収納された内容器３を外容器２の開口部９から引き出すことができるようになっている。
【００２１】
側面板１２、１２は、前後方向の中央部に形成された上下方向の薄肉部１２ａを中心として内向きに谷折りすることができるようになっており、図３に示すように折り畳むことができる。従って、図４に示すように、側面板１２、１２と前面板１３と後面板１４を扁平をなすように折り畳むと、折り畳まれた外容器２の空間１１内に底面板１５と一緒に収納することができ、外容器２と内容器３をセットで保管したり、セットで配送センター等に戻し搬送したりすることができる。
【００２２】
なお、内容器３は、次のようにして折り畳むことも可能である。すなわち、図１の２点鎖線で示すように、左右の側面板１２、１２に対角線方向を向く折り目１２ｂ、１２ｂを設けるとともに、前面板１３と後面板１４の中央部に左右方向を向く折り目１３ａ、１４ａをそれぞれ設け、側面板１２、１２を折り目１２ｂに沿って内向きに谷折りするとともに、前面板と後面板１４を折り目１３ａ、１４ａに沿って内向きに谷折りする。これにより、内容器３を扁平に折り畳むことができ、折り畳んだ内容器３を外容器２の空間１１に収納することができる。なお、このような折り畳み形態とする場合には、底面板１５を別体にする必要がなくなる。
【００２３】
図１に示すように、外容器２における開口部９の反対側である後部枠８ｂの後面中央部には、係合部としての係合孔１８ａを有する係合片１８が上向きに突設されている。また、図５に示すように、底板４の後端面の中央部には、折り畳み容器１を積み重ねた際に、下段側の外容器２の係合孔１８ａに前方から挿入されて係合する、被係合部としての被係合片１９が後向きに突設されている。このように、下段側の係合片１８の係合孔１８ａに上段側の被係合片１９を係合させると、下段側の外容器２に対し上段側の外容器２の後部が浮き上がるのが防止される。従って、物品を収容した内容器３を大きく引き出しても、上段側の外容器２が前方に転倒するおそれはなく、引き出した内容器３からの物品の取出し作業を安全に効率よく行うことができる。また、上段側の外容器２が左右方向に移動するのも防止される。
【００２４】
なお、図７の変形例に示すように、外容器２の前面に開口部９を塞ぐカバー部材２０を取付けるようにしてもよい。この際には、上枠８の前面の左右両側部に、平面視内向きＬ字状をなす左右１対の差込ガイド片２１、２１を設けるとともに、この両差込ガイド片２１の下方において底板４の前面の左右両側部に、下面が閉塞された平面視内向きＬ字状の左右１対の受け片２２、２２を設け、左右の差込ガイド片２１、２１に上方から差し込んだカバー部材２０の下端部を受け片２２、２２により支持するようにすればよい。
【００２５】
カバー部材２０により開口部９を塞ぐと、開口部９から内容器３が飛び出すのが防止され、内容器３が脱落して収容物品が損傷するのを防ぐことができるとともに、折り畳み容器１を安全に搬送することができる。また、カバー部材２０により外容器２の開口部９を体裁よく塞ぐことができる。
【００２６】
以上説明したように、実施例１に係る折り畳み容器１においては、内容器３が外容器２内に開口部９から引き出し可能に収納されている。折り畳み容器１は例えば次のように用いられる。配送センターで図６に示すように、複数の折り畳み容器１を台車２３に積み重ねた状態で、台車２３ごと配送車で店舗等に運搬し、配送車から台車２３ごと店舗のバックヤードに移動させる。必要に応じて台車２３を店舗内に移動させてり畳み容器１が積み重ねられた状態で内容器３を前方に引き出して収容された物品を取り出して陳列棚等に陳列する。このとき、２点鎖線で示すように、任意の段の内容器３を前方に引き出したり、外容器２から内容器３のみを下ろして作業することができる。従って、折り畳み容器１を積み重ねた状態のまま物品を取り出したり、収容物品を確認したりすることができ、物品陳列時の作業効率が向上する。また、配送センター等で物品を仕分けして内容器３に収容する際においても、折り畳み容器１を積み重ねた状態で内容器３を引き出して物品を収容することができる。店舗において、収容された物品が取り出された折り畳み容器１は、上述したように折り畳むことで占有空間を小さくした状態でバックヤードに保管され、適時搬送車に積載されて搬送センターに戻される。
【００２７】
なお、折り畳み容器１を積み重ねて運搬する際、最上段の外容器２の物品の出し入れ口７から雨や埃が入り込むのを防止するために、図６に示すような上蓋２４が被せられるが、例えば上方に向かって観音開き状に開く上蓋を上枠８に設けておけば、別体の上蓋２４は不要となる。
【実施例２】
【００２８】
図８及び図９は、実施例２に係る折り畳み容器を示す。なお、実施例１と同様の部材には同じ符号を付して詳細な説明を省略する。実施例２の折り畳み容器２５は、実施例１と同様の外容器２と、外容器２内に収納されるトレー型の内容器２６とからなっている。
【００２９】
内容器２６の左右幅は、外容器２の側壁５、５の対向面間の寸法よりも若干小とされ、また高さは、外容器２を折り畳んだときに形成される空間１１に挿入可能な寸法に形成されている。内容器２６の左右の側面板２６ａ、２６ａの外側面には、前後方向を向く突条２７、２７が形成され、前面板２６ｂの中央部には、凹状の指掛け部２８が形成されている。
【００３０】
内容器２６の突条２７、２７を、外容器２の下部側壁５ｂ、５ｂの下端部内面に形成された前後方向を向くガイド溝２９、２９に摺動可能に嵌合することにより、外容器２に収納された内容器２６を前下方に転倒させることなくスムーズに引き出すことができる。なお、引き出した内容器２６が脱落しないように、外容器２と内容器２６との適所にストッパ手段を設けてもよい。
【００３１】
実施例２に係る折り畳み容器２５においても実施例１と同様の作用効果を有し、折り畳み容器２５を積み重ねた状態のまま任意の段の内容器２６を前方に引き出すか、外容器２から下ろして物品を取り出したり、収容物品を確認したりすることができる。また、図９に示すように、物品を取り出した後の内容器２６は、折り畳んだ外容器２の空間１１に収納することができるので、実施例１と同様に、外容器２と内容器３をセットで保管したり、セットで配送センター等に戻し搬送したりすることができる。
【実施例３】
【００３２】
図１０及び図１１は、実施例３に係る折り畳み容器を示す。なお、実施例１と同様の部材には同じ符号を付して詳細な説明を省略する。実施例３の折り畳み容器３０は、前後寸法が実施例１のものよりも若干長めに形成された外容器２と、この外容器２内に収納される内容器３１とからなっている。
【００３３】
内容器３１は、物品の出し入れ口３２が形成された枠状フレーム３３を上端部に有する箱型をなし、前後左右の周囲の側壁３４は、例えば可撓性を有する軟質の合成樹脂材により成形されたメッシュ材、または軟質の合成繊維や天然繊維により編成されたメッシュ材により形成され、多方向に自在に変形可能となっている。底壁３５は、例えば弾性変形しにくい合成樹脂等の薄肉シートにより形成されている。側壁３４の前後寸法は、外容器２の内部の奥行き寸法よりも所要寸法小さく形成され、外容器２の後部側壁６を上向きに回動させて折り畳む際に底壁３５と干渉しないようになっている。内容器３１の高さは、後述するように、外容器２の上枠８により吊支可能な寸法に形成されている。なお、内容器３１は箱型をなす例について説明しているが丸みを帯びた袋型であってもよい。
【００３４】
図１１の拡大断面図に示すように、周囲の側壁３４の上端部は、合成樹脂製の枠状フレーム３３の内周部に形成されたスリット３６に内側から差し込まれ、接着剤や熱溶着等より固定されている。枠状フレーム３３の左右の側枠３３ａ、３３ａの外側部は、外容器２の側枠８ａ、８ａの対向面に形成された開口部９方向(前後方向)に延びる内向き凹状断面のガイド部３７、３７に摺動可能に嵌合されるようになっている。これにより、外容器２内に収納される内容器３１は、外容器２の側枠８ａ、８ａにより吊支され、この状態で開口部９から引き出すことができる。なお、枠状フレーム３３の前端部の下面には、内容器３１の引き出しを容易とするために指掛け部(図示略)が形成されている。
【００３５】
内容器３１の側壁３４は、外容器２に収納したままの状態で折り畳むことができる。すなわち、外容器２の後部側壁６を内方に上向きに回動させるとともに、左右の上部側壁５ａと下部側壁５ｂを内向きに折り畳む際に、内容器３１の周囲の側壁３４が内向きに変形しながら圧縮されることにより、外容器２と同時に内容器３１の側壁３４も折り畳まれる。なお、底壁３５は折り畳まれた外容器２の空間１１(図４参照)に収納される。
【００３６】
実施例３に係る折り畳み容器３０においても、実施例１と同様に、折り畳み容器３０を積み重ねた状態のまま任意の段の内容器３１を前方に引き出して物品を取り出したり、収容物品を確認したりすることができる。また、内容器３１の周囲の側壁３４は、内向きに変形可能な軟質のメッシュ材により形成され、外容器２に内容器３１を収納したままの状態で両容器２、３１を折り畳むことができるので、物品取出し後の外容器２と内容器３１のセット保管や戻し搬送を速やかに行うことができる。さらに、周囲の側壁３４はメッシュ材により形成されているので、内容器３１を引き出さなくても、それに収容した物品を確認することができる。
【００３７】
以上、本発明の折り畳み容器を実施例に基づいて説明したが、具体的な構成はこの実施例に限定されるものではなく、発明の要旨を逸脱しない範囲内で、次のような種々の変形や変更があっても、本発明に含まれる。
例えば、前記実施例１では、外容器２内に折り畳み可能な内容器３を収納しているが、折り畳み不能な内容器を引き出し可能に収納することもある。
【００３８】
また、前記実施例３では、内容器３１の側壁３４をメッシュ材により形成したが、例えば透明なビニールシート等の軟質材により形成してもよい。
【符号の説明】
【００３９】
１    折り畳み容器
２    外容器
３    内容器
４    底板
５    側壁
５ａ  上部側壁
５ｂ  下部側壁
６    後部側壁
７    物品の出し入れ口
８    上枠
８ａ  側枠
８ｂ  後部枠
９    開口部
１１    空間
１２    側面板
１２ａ  薄肉部
１２ｂ  折り目
１３    前面板
１３ａ  折り目
１４    後面板
１４ａ    折り目
１８    係合片
１８ａ  係合孔(係合部)
１９    被係合片(被係合部)
２０    カバー部材
２５    折り畳み容器
２６    内容器
２６ａ  側面板
２６ｂ  前面板
３０    折り畳み容器
３１    内容器
３２    物品の出し入れ口
３３    枠状フレーム
３３ａ  側枠
３４    側壁
３５    底壁
３６    スリット
３７    ガイド部
【図１】
2020142806.tif 000003
【図２】
2020142806.tif 000004
【図３】
2020142806.tif 000005
【図４】
2020142806.tif 000006
【図５】
2020142806.tif 000007
【図６】
2020142806.tif 000008
【図７】
2020142806.tif 000009
【図８】
2020142806.tif 000010
【図９】
2020142806.tif 000011
【図１０】
2020142806.tif 000012
【図１１】
2020142806.tif 000013